(57)【特許請求の範囲】
【請求項１】
給水用の給水電磁弁、洗浄水加熱用のヒータ、洗浄水循環用の洗浄ポンプおよび洗浄水排水用の排水ポンプを備えた食器洗い機に使用されるスイッチ回路であって、
主電源オン／オフ用の主電源リレーと、
前記主電源リレーを介して、前記給水電磁弁、ヒータ、洗浄ポンプおよび排水ポンプの電源をそれぞれオン／オフするための複数の副電源リレーと、
小信号用の電源スイッチと、小信号用の複数の操作スイッチと、前記電源スイッチに対する操作に応じて前記主電源リレーのオン／オフ制御を行うとともに、前記複数の操作スイッチに対する操作に応じて前記複数の副電源リレーのオン／オフ制御を行う制御部と
を備え、
前記電源スイッチに対する操作検出用の回路を前記電源スイッチに接続された個別の入力線を介して前記電源スイッチへの操作を検出するスタティック回路で構成し、前記複数の操作スイッチに対する操作検出用の回路を複数の出力線に相異なる時点で所定のパルス幅の検査信号を送出し、信号が入力された入力線と信号を送出した出力線に基づいて、前記複数の操作スイッチの中から操作された操作スイッチを検出するダイナミック回路で構成して成ることを特徴とする食器洗い機のスイッチ回路。
【請求項２】
前記食器洗い機は乾燥用のファンを備え、前記複数の副電源リレーは、前記主電源リレーを介して、前記給水電磁弁、ヒータ、洗浄ポンプ、排水ポンプおよびファンの電源をそれぞれオン／オフする
ことを特徴とする請求項１記載の食器洗い機のスイッチ回路。
【請求項３】
前記制御部は、前記電源スイッチに対するオン操作および前記複数の操作スイッチに対する操作で前記食器洗い機がスタートした後、前記電源スイッチ、および前記複数の操作スイッチのいずれかの操作スイッチである一時停止スイッチ以外の操作を受け付けないことを特徴とする請求項１または２記載の食器洗い機のスイッチ回路。
【発明の詳細な説明】
【０００１】
【発明の属する技術分野】
本発明は、給水用の給水電磁弁、洗浄水加熱用のヒータ、洗浄水循環用の洗浄ポンプおよび洗浄水排水用の排水ポンプを備えた食器洗い機に使用されるスイッチ回路に関するものである。
【０００２】
【従来の技術】
従来、この種の食器洗い機では、メカスイッチに代えてタクトスイッチとリレーとを組み合わせて、電源スイッチをソフトタッチ化したものが主流となっている。
【０００３】
図２に電源スイッチがソフトタッチ化された従来のスイッチ回路例を示す。ただし、図２では、簡単のため、電源スイッチとしてのタクトスイッチ以外の操作用のスイッチなどは図示省略してある。
【０００４】
図２に示すスイッチ回路は、給水電磁弁１、ヒータ２、洗浄ポンプ３、排水ポンプ４およびファン５などを備える食器洗い機に使用され、例えば、電源スイッチ１６としてのタクトスイッチに対してオン操作が行われると、マイコンなどで構成される制御部１９ａが、そのオン操作（による接点の閉状態）を検出し、電源リレー１０を駆動してその接点１０ａを閉状態にし、これにより、電源がオンになる構成になっている。
【０００５】
ところで、上記電源スイッチ用のタクトスイッチは、一般に、他の操作用のタクトスイッチとともに操作部を構成し、この操作部に、各タクトスイッチに対する操作（押操作）検出用として、マイコンを用いたいわゆるダイナミック回路が採用される場合が多い。
【０００６】
図３にダイナミック回路で構成される従来のスイッチ回路例を示し、図４にそのダイナミック回路の動作例の説明図を示す。ただし、図３では、簡単のため、ダイナミック回路に関連する以外の構成の図示は省略してある。
【０００７】
図３に示すスイッチ回路は、制御部（マイコン）１９ｂが、３本の出力線Ａ〜Ｃから相異なる時点に所定パルス幅の操作検出用の信号を送信し、これらの各信号を、入力線ａ〜ｃのそれぞれに接続されたタクトスイッチを介して受信できたか否かに応じて、そのタクトスイッチに対してオン操作が行われたか否かを検出する構成となっている。
【０００８】
例えば、タクトスイッチＳＷ７に対してオン操作が行われると、図４の「ＳＷ７オン」に示すように、出力線Ａから送信された信号がタクトスイッチＳＷ７を介して入力線ａで受信されるので、タクトスイッチＳＷ７に対するオン操作の検出が可能になる。これと同様に、タクトスイッチＳＷ６，ＳＷ９に対してオン操作が行われると、図４の「ＳＷ６，ＳＷ９オン」に示すように、出力線Ａ，Ｂから送信された信号がタクトスイッチＳＷ９，ＳＷ６を介して入力線ｃで受信されるので、スイッチＳＷ６，ＳＷ９に対するオン操作の検出が可能になる。
【０００９】
このように、スイッチ回路にダイナミック回路を採用すると、各タクトスイッチに対する操作を、個別の入力線を介して検出するいわゆるスタティック回路に比べて、多くのタクトスイッチに対する操作をより少ない数の信号線で検出することができる。例えば、図３に示すように、９個のタクトスイッチＳＷ１〜ＳＷ９に対する操作を検出する場合、スタティック回路では９本の入力線が必要となるのに対し、ダイナミック回路では３本の出力線Ａ〜Ｃと３本の入力線ａ〜ｃとの合計６本の信号線で済むのである。
【００１０】
【発明が解決しようとする課題】
しかしながら、上記従来のスイッチ回路のように、電源スイッチとしてのタクトスイッチに対する操作を、ダイナミック回路で検出すると、他の家電機器の作動時に発生するノイズによって、電源スイッチに対応する電源リレーがオンになる不具合が発生しやすくなる問題があった。
【００１１】
すなわち、ダイナミック回路では、信号線を共用することで全体の信号線の数を減らすことができる反面、タクトスイッチに対するオン操作の検出遅れがどうしても発生することから、その遅れを人が感じないようにするために、数十ミリ秒（２０ｍｓ程度が限界）を１サイクルＴＭとして、各出力線用に時分割する必要があるので、各タクトスイッチに対してハードウエア構成のフィルタ回路を設けることができなくなって、図５の「他の家電機器からのノイズ」に示すようなノイズの影響を受けやすくなり、この結果、タクトスイッチに対して操作が行われたと制御部が誤検出しやすくなるのである。また近年、インバータなどの高周波ノイズを放射する家電機器が増えていることからも、上記誤検出による誤作動を防止することが望まれる。
【００１２】
本発明は、上記事情に鑑みてなされたものであり、各スイッチに対する操作検出用の信号線の数を、スタティック回路よりも低減することができるとともに、他の家電機器の作動時に発生するノイズで電源スイッチに対応するリレーがオンになる不具合の発生を防止しうる食器洗い機のスイッチ回路を提供することを目的とする。
【００１３】
【課題を解決するための手段】
上記課題を解決するために請求項１記載の発明は、給水用の給水電磁弁、洗浄水加熱用のヒータ、洗浄水循環用の洗浄ポンプおよび洗浄水排水用の排水ポンプを備えた食器洗い機に使用されるスイッチ回路であって、主電源オン／オフ用の主電源リレーと、前記主電源リレーを介して、前記給水電磁弁、ヒータ、洗浄ポンプおよび排水ポンプの電源をそれぞれオン／オフするための複数の副電源リレーと、小信号用の電源スイッチと、小信号用の複数の操作スイッチと、前記電源スイッチに対する操作に応じて前記主電源リレーのオン／オフ制御を行うとともに、前記複数の操作スイッチに対する操作に応じて前記複数の副電源リレーのオン／オフ制御を行う制御部とを備え、前記電源スイッチに対する操作検出用の回路を前記電源スイッチに接続された個別の入力線を介して前記電源スイッチへの操作を検出するスタティック回路で構成し、前記複数の操作スイッチに対する操作検出用の回路を複数の出力線に相異なる時点で所定のパルス幅の検査信号を送出し、信号が入力された入力線と信号を送出した出力線に基づいて、前記複数の操作スイッチの中から操作された操作スイッチを検出するダイナミック回路で構成して成るのである。
【００１４】
この構成では、複数の操作スイッチに対する操作検出用の回路をダイナミック回路で構成することで、各スイッチに対する操作検出用の信号線の数がスタティック回路よりも少なくなるとともに、電源スイッチに対する操作検出用の回路をスタティック回路で構成することで、電源スイッチが接続される制御部の入力端子近傍にハードウエア構成のフィルタ回路を設けることができるから、他の家電機器の作動時に発生する（連続的な）ノイズで電源スイッチに対応する電源リレーがオンになる不具合が発生し難くなる。
【００１５】
請求項２記載の発明は、請求項１記載の食器洗い機のスイッチ回路において、前記食器洗い機は乾燥用のファンを備え、前記複数の副電源リレーは、前記主電源リレーを介して、前記給水電磁弁、ヒータ、洗浄ポンプ、排水ポンプおよびファンの電源をそれぞれオン／オフするものである。この構成でも、各スイッチに対する操作検出用の信号線の数がスタティック回路よりも少なくなるとともに、他の家電機器の作動時に発生するノイズで電源スイッチに対応する電源リレーがオンになる不具合が発生し難くなる。
【００１６】
請求項３記載の発明は、請求項１または２記載の食器洗い機のスイッチ回路において、前記制御部は、前記電源スイッチに対するオン操作および前記複数の操作スイッチに対する操作で前記食器洗い機がスタートした後、前記電源スイッチ、および前記複数の操作スイッチのいずれかの操作スイッチである一時停止スイッチ以外の操作を受け付けないものである。この構成によれば、誤作動発生の確率が低減するようになる。
【００１７】
【発明の実施の形態】
図１は本発明の食器洗い機のスイッチ回路に係る一実施形態を示す図で、この図を用いて以下に本実施形態の説明を行う。
【００１８】
本スイッチ回路は、図１に示すように、給水用の給水電磁弁１、洗浄水加熱用のヒータ２、洗浄水循環用の洗浄ポンプ３、洗浄水排水用の排水ポンプ４および乾燥用のファン５を備えるとともに、ドア開閉検出用のドアスイッチ６、水位検出用の水位スイッチ７、温度検出用のサーミスタ８および漏水検出用の漏水センサ９などを備える乾燥機能付きの食器洗い機に使用されている。
【００１９】
そして、本スイッチ回路は、電源オン／オフ用の電源リレー１０と、この電源リレー１０を介して、給水電磁弁１、ヒータ２、洗浄ポンプ３、排水ポンプ４およびファン５の電源をそれぞれオン／オフするためのリレー１１〜１５と、タクトスイッチにより成る小信号用の電源スイッチ１６と、タクトスイッチにより成る小信号用の複数の操作スイッチ１７ａ〜１７ｐと、コース表示ＬＥＤ群およびドライ表示ＬＥＤなどにより成る表示部１８と、電源スイッチ１６に対する操作に応じて電源リレー１０のオン／オフ制御を行うとともに、操作スイッチ１７ａ〜１７ｐに対する操作に応じてリレー１１〜１５のオン／オフ制御を所定のプログラムに従って行うほか、作動状態に応じた表示を表示部１８を通じて行う制御部（マイコン）１９とを備え、電源スイッチ１６に対する操作検出用の回路がスタティック回路で構成され、操作スイッチ１７ａ〜１７ｐに対する操作検出用の回路がダイナミック回路で構成されている。
【００２０】
ただし、電源リレー１０は、接点１０ａ，１０ｂおよびこれら接点１０ａ，１０ｂ開閉用の電源リレーコイル１０ｃにより成り、リレー１１は、接点１１ａおよびこの接点１１ａ開閉用の給水電磁弁リレーコイル１１ｂにより成り、リレー１２は、接点１２ａおよびこの接点１２ａ開閉用のヒータリレーコイル１２ｂにより成り、リレー１３は、接点１３ａ，１３ｂおよびこれら接点１３ａ，１３ｂ開閉用の洗浄ポンプリレーコイル１３ｃにより成り、リレー１４は、接点１４ａおよびこの接点１４ａ開閉用の排水ポンプリレーコイル１４ｂにより成り、そしてリレー１５は、接点１５ａおよびこの接点１５ａ開閉用のファンリレーコイル１５ｂにより成っている。なお、上記電源リレーコイル、給水電磁弁リレーコイル、ヒータリレーコイル、洗浄ポンプリレーコイル、排水ポンプリレーコイルおよびファンリレーコイルの各々を、以下単にリレーコイルともいう。
【００２１】
また、Ｔは１次巻線ｎ１および２次巻線ｎ２を有するトランスで、トランスＴの１次巻線ｎ１側および２次巻線ｎ２側には、それぞれ商用電源および制御部１９などが接続されている。
【００２２】
次に、本スイッチ回路の制御部１９による制御動作の説明を行う。例えば、電源リレー１０がオフ状態のとき、電源スイッチ１６に対してオン操作が行われると、そのオン操作に応じて、電源リレー１０の接点１０ａ，１０ｂを、電源リレーコイル１０ｃを通じてオン状態にする制御が行われる。
【００２３】
この後、操作スイッチ１７ａ〜１７ｐに対して所望コースの選択およびスタートなどの操作が行われると、その選択されたコースに対して予め設定されたプログラムに従って、リレー１１〜１５の接点を、それぞれリレー１１〜１５のリレーコイルを通じてオン／オフ状態にする制御が行われる。
【００２４】
ここで、図３に示すような従来のスイッチ回路では、２０ｍｓ程度が１サイクルとして３〜４分割されるために、操作検出用の信号のパルス幅が５〜６ｍｓ程度になる。これでは、そのパルス幅よりも余裕をもって時定数を小さく設定する必要のあるハードウエア構成のフィルタを、入力線（ａ〜ｃ）が接続する制御部（１９ｂ）の入力端子近傍に設けることができないので、従来のダイナミック回路では、入力線からの信号の比較を数回続けて行うことで、単発ノイズの有無を検出し、ソフトウエア上でフィルタをかける手法が採られていた。
【００２５】
しかしながら、このような手法では、単発のノイズによる誤作動の防止は可能になるものの、インバータなどを含む家電機器からの図５で示したような連続するノイズの影響による誤作動を防止することができない。
【００２６】
そこで、本実施形態では、上述の如く、電源スイッチ１６に対する操作検出用の回路をスタティック回路で構成し、操作スイッチ１７ａ〜１７ｐに対する操作検出用の回路をダイナミック回路で構成するのである。これにより、図１の例に示すように、電源スイッチ１６が接続された制御部１９の入力端子近傍に、抵抗値の小さいプルアップ抵抗Ｒ１および容量の大きいコンデンサＣ１を設けることができ、連続するノイズの影響による誤作動の防止が可能になる。また、図１では図示していないが、必要に応じて、ハイパス、ローパスないしバンドパスなどのフィルタを設けることができるので、好適にノイズ対策を行うことができる。
【００２７】
以上、本実施形態によれば、操作スイッチ１７ａ〜１７ｐに対する操作検出用の回路をダイナミック回路で構成することで、各スイッチに対する操作検出用の信号線の数を、スタティック回路よりも低減することができるとともに、電源スイッチ１６に対する操作検出用の回路をスタティック回路で構成することで、電源スイッチ１６が接続される制御部１９の入力端子近傍にハードウエア構成のフィルタ回路を設けることができるから、他の家電機器の作動時に発生するノイズで電源スイッチ１６に対応する電源リレー１０がオンになる不具合の発生を防止することができる。したがって、電源リレー１０がノイズでかってにオンになるのが防止されるので、食器洗い機がかってにスタートする不具合が防止される。これにより、信頼性の高い食器洗い機を提供することができる。
【００２８】
なお、上記実施形態において、電源スイッチ１６に対するオン操作および操作スイッチ１７ａ〜１７ｐに対する操作で食器洗い機がスタートした後、電源スイッチ１６、および一時停止スイッチ（操作スイッチ１７ａ〜１７ｐのいずれかの操作スイッチ）以外の操作を受け付けないように制御部１９を構成してもよい。
【００２９】
例えば、電源リレー１０がオフ状態の場合には、電源スイッチ１６に対する操作のみを受け付け、電源リレー１０がオンの待機中の場合には、全てのスイッチを受け付け、食器洗い機がスタートしたコース運転中の場合には、電源スイッチ１６および一時停止スイッチに対する操作のみを受け付け、そしてコース運転が終了した場合には、電源スイッチ１６に対する操作のみを受け付けるように制御部１９を構成する。ここに、通常、待機中の時間は長くても１０分程度で、この間にドライ、予約、すすぎ、リンスおよび乾燥などのコースの選択が行われる。また、コース運転中の時間は６０〜１２０分程度である。さらに、コース運転が終了した場合、電源スイッチ１６に対してオフ操作を行わなくても、オートオフ機能が働いて、電源リレー１０が自動的にオフ状態になる。
【００３０】
このように、制御部を構成すると、通常、電源スイッチ１６に対する操作のみを受け付ける時間（＝２４時間−（１０分＋６０〜１２０分））が長いので、誤作動発生の確率が非常に小さくなる。さらに、コース運転中の場合、電源スイッチ１６および一時停止スイッチ以外の操作を受け付けないので、誤作動発生の確率をさらに低減することが可能になる。
【００３１】
【発明の効果】
以上のことから明らかなように、請求項１記載の発明によれば、給水用の給水電磁弁、洗浄水加熱用のヒータ、洗浄水循環用の洗浄ポンプおよび洗浄水排水用の排水ポンプを備えた食器洗い機に使用されるスイッチ回路であって、主電源オン／オフ用の主電源リレーと、前記主電源リレーを介して、前記給水電磁弁、ヒータ、洗浄ポンプおよび排水ポンプの電源をそれぞれオン／オフするための複数の副電源リレーと、小信号用の電源スイッチと、小信号用の複数の操作スイッチと、前記電源スイッチに対する操作に応じて前記主電源リレーのオン／オフ制御を行うとともに、前記複数の操作スイッチに対する操作に応じて前記複数の副電源リレーのオン／オフ制御を行う制御部とを備え、前記電源スイッチに対する操作検出用の回路を前記電源スイッチに接続された個別の入力線を介して前記電源スイッチへの操作を検出するスタティック回路で構成し、前記複数の操作スイッチに対する操作検出用の回路を複数の出力線に相異なる時点で所定のパルス幅の検査信号を送出し、信号が入力された入力線と信号を送出した出力線に基づいて、前記複数の操作スイッチの中から操作された操作スイッチを検出するダイナミック回路で構成して成るので、各スイッチに対する操作検出用の信号線の数を、スタティック回路よりも低減することができるとともに、他の家電機器の作動時に発生するノイズで電源スイッチに対応するリレーがオンになる不具合の発生を防止することができる。
【００３２】
請求項２記載の発明によれば、請求項１記載の食器洗い機のスイッチ回路において、前記食器洗い機は乾燥用のファンを備え、前記複数の副電源リレーは、前記主電源リレーを介して、前記給水電磁弁、ヒータ、洗浄ポンプ、排水ポンプおよびファンの電源をそれぞれオン／オフするのであり、この構成でも、各スイッチに対する操作検出用の信号線の数を、スタティック回路よりも低減することができるとともに、他の家電機器の作動時に発生するノイズで電源スイッチに対応するリレーがオンになる不具合の発生を防止することができる。
【００３３】
請求項３記載の発明によれば、請求項１または２記載の食器洗い機のスイッチ回路において、前記制御部は、前記電源スイッチに対するオン操作および前記複数の操作スイッチに対する操作で前記食器洗い機がスタートした後、前記電源スイッチ、および前記複数の操作スイッチのいずれかの操作スイッチである一時停止スイッチ以外の操作を受け付けないので、誤作動発生の確率を低減することができる。
【図面の簡単な説明】
【図１】本発明の食器洗い機のスイッチ回路に係る一実施形態を示す図である。
【図２】電源スイッチがソフトタッチ化された従来のスイッチ回路例を示す図である。
【図３】ダイナミック回路で構成される従来のスイッチ回路例を示す図である。
【図４】図３に示すダイナミック回路の動作例の説明図である。
【図５】他の家電機器からのノイズなどを示す図である。
【符号の説明】
１  給水電磁弁
２  ヒータ
３  洗浄ポンプ
４  排水ポンプ
５  ファン
１０  電源リレー
１１〜１５  リレー
１６  電源スイッチ
１７ａ〜１７ｐ  操作スイッチ
１８  表示部
１９  制御部
【図１】
0004523698.tif 000002
【図２】
0004523698.tif 000003
【図３】
0004523698.tif 000004
【図４】
0004523698.tif 000005
【図５】
0004523698.tif 000006